【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
医用画像を保管する画像保管装置を有し、または当該画像保管装置と接続され、表示手段にレポート作成画面を表示して読影レポートを作成するためのレポート作成システムであって、
少なくとも１つのフレーズに前記医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けする必要性を示唆するメッセージを前記表示手段に表示させる報知制御手段と、
を備えること、
を特徴とするレポート作成システム。
【請求項２】
リンク付けの入力操作を受けて、予め定められた閾値以上の前記類似度が算出された組の一方にリンク付けされている前記医用画像を他方のフレーズにリンク付けするリンク設定手段を更に備えること、
を特徴とする請求項１記載のレポート作成システム。
【請求項３】
前記解析手段は、前記読影レポートの保存操作を受けて、前記関連性を判断し、前記類似度を算出すること、
を特徴とする請求項１記載のレポート作成システム。
【請求項４】
医用画像を保管する画像保管装置を有し、または当該画像保管装置と接続され、表示手段にレポート作成画面を表示して読影レポートを作成するためのレポート作成システムであって、
少なくとも１つのフレーズに前記医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けするリンク付け設定手段と、
を備えること、
を特徴とするレポート作成システム。
【請求項５】
医用画像を保管する画像保管装置を有し、または当該画像保管装置と接続され、表示手段にレポート作成画面を表示して読影レポートを作成するためのレポート作成システムであって、
少なくとも１つのフレーズに前記医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
予め定められた閾値以上の前記類似度が算出された前記入力されたセンテンスに含まれるフレーズに医用画像をリンク付けさせる必要性を示唆するメッセージを前記表示手段に表示させる報知制御手段と、
を備えること、
を特徴とするレポート作成システム。
【請求項６】
医用画像を保管する画像保管装置を有し、または当該画像保管装置と接続され、表示手段にレポート作成画面を表示して読影レポートを作成するためのレポート作成システムであって、
少なくとも１つのフレーズに前記医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
予め定められた閾値以上の前記類似度が算出された前記入力されたセンテンスに含まれるフレーズに医用画像をリンク付けするリンク付け設定手段と、
を備えること、
を特徴とするレポート作成システム。
【請求項７】
表示手段にレポート作成画面を表示して読影レポートを作成するためのレポート作成装置であって、
少なくとも１つのフレーズに医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けする必要性を示唆するメッセージを前記表示手段に表示させる報知制御手段と、
を備えること、
を特徴とするレポート作成装置。
【請求項８】
表示手段にレポート作成画面を表示して読影レポートを作成するためのレポート作成装置であって、
少なくとも１つのフレーズに医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けするリンク付け設定手段と、
を備えること、
を特徴とするレポート作成装置。
【請求項９】
表示手段にレポート作成画面を表示して読影レポートを作成するためのレポート作成装置であって、
少なくとも１つのフレーズに医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
予め定められた閾値以上の前記類似度が算出された前記入力されたセンテンスに含まれるフレーズに医用画像をリンク付けさせる必要性を示唆するメッセージを前記表示手段に表示させる報知制御手段と、
を備えること、
を特徴とするレポート作成装置。
【請求項１０】
表示手段にレポート作成画面を表示して読影レポートを作成するためのレポート作成装置であって、
少なくとも１つのフレーズに医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
予め定められた閾値以上の前記類似度が算出された前記入力されたセンテンスに含まれるフレーズに医用画像をリンク付けするリンク付け設定手段と、
を備えること、
を特徴とするレポート作成装置。
【手続補正２】
【補正対象書類名】明細書
【補正対象項目名】発明の名称
【補正方法】変更
【補正の内容】
【発明の名称】レポート作成システム及びレポート作成装置
【手続補正３】
【補正対象書類名】明細書
【補正対象項目名】０００１
【補正方法】変更
【補正の内容】
【０００１】
本発明は、入力されたフレーズに医用画像をリンク付けするレポート作成システム及びレポート作成装置に関する。
【手続補正４】
【補正対象書類名】明細書
【補正対象項目名】０００８
【補正方法】変更
【補正の内容】
【０００８】
本発明は、上記事情に鑑みてなされたものであり、その目的とするところは、読影レポートへの医用画像のリンク付けを忘失してしまうことを防止するレポート作成システム及びレポート作成装置を提供することにある。
【手続補正５】
【補正対象書類名】明細書
【補正対象項目名】００１４
【補正方法】変更
【補正の内容】
【００１４】
また、上記課題を解決する請求項６記載の発明に係るレポート作成システムは、医用画像を保管する画像保管装置を有し、または当該画像保管装置と接続され、表示手段にレポート作成画面を表示して読影レポートを作成するためのレポート作成システムであって、少なくとも１つのフレーズに前記医用画像がリンク付けされたセンテンスを含む読影レポートを記憶する記憶手段と、入力操作を受けて、前記レポート作成画面において少なくとも１つのフレーズを含むセンテンスを入力する入力手段と、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、予め定められた閾値以上の前記類似度が算出された前記入力されたセンテンスに含まれるフレーズに医用画像をリンク付けするリンク付け設定手段と、を備えること、を特徴とする。
また、上記課題を解決する請求項７記載の発明に係るレポート作成装置は、表示手段にレポート作成画面を表示して読影レポートを作成するためのレポート作成装置であって、少なくとも１つのフレーズに医用画像がリンク付けされたセンテンスを含む読影レポートを記憶する記憶手段と、入力操作を受けて、前記レポート作成画面において少なくとも１つのフレーズを含むセンテンスを入力する入力手段と、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けする必要性を示唆するメッセージを前記表示手段に表示させる報知制御手段と、を備えること、を特徴とする。
また、上記課題を解決する請求項８記載の発明に係るレポート作成装置は、表示手段にレポート作成画面を表示して読影レポートを作成するためのレポート作成装置であって、少なくとも１つのフレーズに医用画像がリンク付けされたセンテンスを含む読影レポートを記憶する記憶手段と、入力操作を受けて、前記レポート作成画面において少なくとも１つのフレーズを含むセンテンスを入力する入力手段と、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けするリンク付け設定手段と、を備えること、を特徴とする。
また、上記課題を解決する請求項９記載の発明に係るレポート作成装置は、表示手段にレポート作成画面を表示して読影レポートを作成するためのレポート作成装置であって、少なくとも１つのフレーズに医用画像がリンク付けされたセンテンスを含む読影レポートを記憶する記憶手段と、入力操作を受けて、前記レポート作成画面において少なくとも１つのフレーズを含むセンテンスを入力する入力手段と、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、予め定められた閾値以上の前記類似度が算出された前記入力されたセンテンスに含まれるフレーズに医用画像をリンク付けさせる必要性を示唆するメッセージを前記表示手段に表示させる報知制御手段と、を備えること、を特徴とする。
また、上記課題を解決する請求項１０記載の発明に係るレポート作成装置は、表示手段にレポート作成画面を表示して読影レポートを作成するためのレポート作成装置であって、少なくとも１つのフレーズに医用画像がリンク付けされたセンテンスを含む読影レポートを記憶する記憶手段と、入力操作を受けて、前記レポート作成画面において少なくとも１つのフレーズを含むセンテンスを入力する入力手段と、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、予め定められた閾値以上の前記類似度が算出された前記入力されたセンテンスに含まれるフレーズに医用画像をリンク付けするリンク付け設定手段と、を備えること、を特徴とする。
【手続補正６】
【補正対象書類名】明細書
【補正対象項目名】００１５
【補正方法】変更
【補正の内容】
【００１５】
本発明によれば、読影レポートに読影結果の証拠となる医用画像のリンク付けを忘失することがなく、質の高い読影レポートを作成できる。
【手続補正７】
【補正対象書類名】明細書
【補正対象項目名】００１６
【補正方法】変更
【補正の内容】
【００１６】
本発明に係るレポート作成システム及びレポート作成装置の好適な実施形態について、図面を参照しながら具体的に説明する。
【手続補正８】
【補正対象書類名】明細書
【補正対象項目名】０１０３
【補正方法】変更
【補正の内容】
【０１０３】
これにより、読影レポートに証拠となる医用画像がリンク付けされているかチェックすることができ、リンク付けがされていない場合にはその旨のメッセージ９１を表示するので、医用画像のリンク付けを忘失することがなく、質の高い読影レポートを作成できる。つまり、本実施形態によれば、読影レポートへの医用画像のリンク付けの必要性をチェックすることで、医用画像のリンク付けを忘失してしまうことを防止することが可能である。